(57)【要約】【課題】  乗客コンベヤの移動する多数のステップの下方に設置され、ステップ間の切れ目からステップの上方に向けて光を発する乗客コンベヤの照明装置であって、狭い作業スペースでも着脱作業が容易なものを提供する。【解決手段】  ステップ２を駆動するステップ駆動軸６の中間部にスプロケット１６が取り付けられている。手摺ベルト１２を駆動する手摺駆動軸１３の中間部にスプロケット１５が取り付けられている。スプロケット１５、１６は無端状のチェーン１７で連結されている。チェーン１７は環状のカバー１８で覆われている。照明灯２１を収容する照明受け２２と照明灯２１を駆動する付随用品２３とが支え部材２４上に取り付けられている。支え部材２４をネジ２５でトラス１及びカバー１８に取り付けることで、照明灯２１と付随用品２３とを一体化した一つのユニットとして同時に乗客コンベヤに着脱することができる。【選択図】      図２
2007131432.tif 000002
【特許請求の範囲】
【請求項１】
乗客コンベヤの移動する多数のステップの下方に設置され、前記ステップ間の切れ目から前記ステップの上方に向けて光を発する乗客コンベヤの照明装置であって、照明灯と、この照明灯を駆動する付随用品と、前記照明灯及び前記付随用品を一体化すると共にその状態で乗客コンベヤに着脱可能な支持手段と、を備えたことを特徴とする乗客コンベヤの照明装置。
【請求項２】
請求項１記載の乗客コンベヤの照明装置であって、乗客コンベヤのトラスにおける左右に延びる梁に取り付けられたことを特徴とする乗客コンベヤの照明装置。
【請求項３】
請求項１記載の乗客コンベヤの照明装置であって、前記ステップを駆動するステップ駆動軸と手摺ベルトを駆動する手摺駆動軸とを連結して前記ステップ駆動軸の駆動力を前記手摺駆動軸に伝達する伝達機構を覆うカバーに取り付けられたことを特徴とする乗客コンベヤの照明装置。
【請求項４】
請求項１記載の乗客コンベヤの照明装置であって、乗客コンベヤのトラスから前記照明灯や前記付随用品に至る配線が接続された状態で点検・調整等の作業を行うことができるスペースに移動させることができるよう、前記配線の長さに余裕を持たせてあることを特徴とする乗客コンベヤの照明装置。
【請求項５】
請求項１記載の乗客コンベヤの照明装置であって、乗客コンベヤのトラスから前記照明灯や前記付随用品に至る配線を着脱自在に接続するためのコネクタを備えたことを特徴とする乗客コンベヤの照明装置。
【請求項６】
請求項５記載の乗客コンベヤの照明装置であって、前記コネクタを複数個備え、これらのコネクタが各配線毎に色分けされていることを特徴とする乗客コンベヤの照明装置。
【発明の詳細な説明】
【技術分野】
【０００１】
本発明は、乗客コンベヤの移動する多数のステップの下方に設置され、ステップ間の切れ目からステップの上方に向けて光を発する乗客コンベヤの照明装置に関する。
【背景技術】
【０００２】
エスカレータや動く歩道等の乗客コンベヤでは、移動する多数のステップの存在を乗客に示したり、曲線路の出現を乗客に知らせることを目的として、ステップの下方に照明装置を設置してステップ間の切れ目からステップの上方に向けて光を発するようにしているものがある。
【０００３】
従来の照明装置の設置形態としては、例えば特開平３−２０５２９２あるいは実開平４−２４５８０に見られるように、照明灯と、この照明灯を駆動する付随用品とを、それぞれ個別にトラス等の構造物に着脱するようにしたものが知られている。
【特許文献１】特開平３−２０５２９２号公報
【特許文献２】実開平４−２４５８０号公報
【発明の開示】
【発明が解決しようとする課題】
【０００４】
乗客コンベヤのステップの下方のスペースでは、ステップの移動を妨げないよう、物品を設置できる範囲が制限されているため、上記照明装置を着脱するための作業スペースを十分に確保しづらい状況であるが、最近、省スペース化の推進によりトラスがますます幅狭化しており、また新しい手摺り駆動方式の提案等によってステップの下方にその種の機構が設置されるようになってきているため、ステップの下方のスペースが更に狭くなり、上記照明装置を着脱するための作業スペースがますます減少している。
【０００５】
そのため、従来のように、照明灯と、この照明灯を駆動する各付随用品とを、それぞれ個別に一つずつ着脱する形態では、作業効率が悪くなってしまうという不都合があり、改善が要望されていた。
【０００６】
本発明は上記事情に鑑みて創案されたものであり、その目的は、狭い作業スペースでも着脱作業が容易な乗客コンベヤの照明装置を提供することにある。
【課題を解決するための手段】
【０００７】
上記目的を達成するために、本発明は、乗客コンベヤの移動する多数のステップの下方に設置され、前記ステップ間の切れ目から前記ステップの上方に向けて光を発する乗客コンベヤの照明装置であって、照明灯と、この照明灯を駆動する付随用品と、前記照明灯及び前記付随用品を一体化すると共にその状態で乗客コンベヤに着脱可能な支持手段と、を備えたことを特徴としている。
【発明の効果】
【０００８】
本発明の照明装置は、照明灯と付随用品とを一つのユニットとして同時に乗客コンベヤに着脱できるため、狭い作業スペースでも着脱作業が容易である。
【発明を実施するための最良の形態】
【０００９】
以下、本発明の一実施形態を図面に基づいて説明する。図１は本発明の第１の実施形態の照明装置が取り付けられた乗客コンベヤ（エスカレータ）の側面断面図、図２は図１の乗客コンベヤの要部平面図、図３は図１を矢印Ａ方向に見た図である。
【００１０】
図１において、符号１は階床間に架け渡されたトラスで、その内部には多数のステップ２（一部のみ図示）が無端状に配列されている。これらのステップ２は無端状のコンベアチェーン３を介して相互に連結されており、このコンベアチェーン３の一端は、トラス１の上階側の端部に配置された駆動スプロケット４に巻き掛けられ、コンベアチェーン３の他端はトラス１の下階側の端部に配置された従動スプロケット５に巻き掛けられている。
【００１１】
図２に示すように、駆動スプロケット４は、左右に延びるステップ駆動軸６の先端部に取り付けられており、このステップ駆動軸６は、図示しない軸受けを介してトラス１に支持され、軸線まわりに回転自在となっている。
【００１２】
駆動スプロケット４にはスプロケット７が同心状に取り付けられており、このスプロケット７は、モータ８（図１参照）の回転軸に取り付けられたスプロケット９にチェーン１０を介して連結されている。モータ８を駆動するとチェーン１０を介してステップ駆動軸６が回転し、駆動スプロケット４に巻き掛けられたコンベアチェーン３が長手方向に移動してステップ２が進行方向（図３のＢ方向）に循環移動する。
【００１３】
図１に示すように、ステップ２の進行方向の両側には複数枚の欄干パネル１１が進行方向と平行に立設されており（片側のみ図示）、その外周部には無端状の手摺ベルト１２が長手方向に摺動自在に取り付けられている。この手摺ベルト１２は、ステップ駆動軸６の駆動力を次に述べるような伝達機構で伝達することにより駆動される。
【００１４】
すなわち、図２の符号１３は手摺駆動軸で、ステップ駆動軸６と平行に配置されると共に軸受け１４（図３参照）を介してトラス１における前後に延びる梁１ａに支持され、軸線まわりに回転自在となっている。この手摺駆動軸１３の中間部にはスプロケット１５が取り付けられており、ステップ駆動軸６の中間部に取り付けられたスプロケット１６と無端状のチェーン１７を介して連結されている。このチェーン１７は環状のカバー１８によって覆われている。
【００１５】
なお、ステップ駆動軸６の駆動力を手摺駆動軸１３に伝達する伝達機構は、上述したようなスプロケット１５、１６及びチェーン１７に限られるものではなく、その他の機構（例えば複数個の摩擦車を組み合わせたもの）を採用することもできる。
【００１６】
手摺駆動軸１３の先端部には手摺駆動輪１９が取り付けられており、その外周部は手摺ベルト１２の内面に接している。ステップ駆動軸６が回転すると、その駆動力がチェーン１７を介して手摺駆動軸１３に伝達されて手摺駆動軸１３が回転し、手摺駆動輪１９が手摺ベルト１２を長手方向に移動させる。したがって、ステップ２と手摺ベルト１２が同期して移動することになる。
【００１７】
ステップ２の下方には照明装置２０が設置されており、この照明装置２０がステップ２間の切れ目からステップ２の上方に向けて光を発することで、移動するステップ２の存在を乗客に示したり、曲線路の出現を乗客に知らせるようにしている。
【００１８】
この照明装置２０は、一対の細長い照明灯２１と、照明灯２１を収容する一対の樋状の照明受け２２と、照明灯２１を駆動するための複数個の付随用品２３（例えば安定器等）と、板状の支え部材２４とを備えている。支え部材２４は、その一方の側の上面から上方に突出した垂直突片２４ａ（図３参照）と、他方の側の底面から側方に突出した水平突片２４ｂ（図２参照）とを有している。
【００１９】
照明受け２２は前後に延びると共に左右に間隔をおいて平行に配置され、一端が支え部材２４の端縁から突出した状態で溶接やネジ止め等によって支え部材２４に固定されている。各照明灯２１は照明受け２２よりもやや長く形成され、その両端が照明受け２２から突出した状態で照明受け２２内に固定支持されている。各付随用品２３は照明受け２２間に位置するように支え部材２４の上面に固定されている。
【００２０】
支え部材２４は、その垂直突片２４ａがカバー１８にネジ２５を介して着脱自在に固定され、水平突片２４ｂがトラス１における左右に延びる梁１ｂにネジ２５を介して着脱自在に固定されている。
【００２１】
なお、図面を見易くするために、図２においては、ステップ２、コンベアチェーン３、欄干パネル１１等の図示を省略し、トラス１については一部を仮想線で図示してある。
【００２２】
また、図３においては、コンベアチェーン３、駆動スプロケット４、ステップ駆動軸６、スプロケット７、チェーン１０、欄干パネル１１、手摺ベルト１２、手摺駆動軸１３、チェーン１７等の図示を省略し、トラス１、スプロケット１５、１６については一部を仮想線で図示してある。
【００２３】
本実施形態では、ステップ２の下方に、ステップ駆動軸６の駆動力を手摺駆動軸１３に伝達する伝達機構であるスプロケット１５、１６及びチェーン１７と、チェーン１７を覆うカバー１８とが存在するため、ステップ２の下方の作業スペースが狭くなっている。したがって、従来のように、照明装置２０の照明灯２１と付随用品２３とをそれぞれ個別に乗客コンベヤに着脱しようとすると、作業が繁雑で手間がかかることになる。
【００２４】
そこで、本実施形態の照明装置２０では、照明灯２１と付随用品２３とを照明受け２２及び支え部材２４上に取り付け、支え部材２４をネジ２５でトラス１の梁１ｂ及びカバー１８に着脱自在に取り付けるようにしたことで、照明灯２１と付随用品２３とを一体化したユニットとして同時に乗客コンベヤに着脱することができるので、照明装置の着脱作業に要する手間が低減し、着脱作業が容易となる。
【００２５】
また、本実施形態では、トラス１から照明灯２２や付随用品２３に至る配線２６が２〜３ｍ程度の長さを有しており、点検・調整等の作業のために支え部材２４をトラス１及びカバー１８から取り外した後、配線２６が接続されたままの状態で支え部材２４を作業に支障が無いスペースに置くことができる。したがって、配線２６を着脱する作業が不要となり、手間が低減するため、作業性が向上する。
【００２６】
また、照明装置２０はカバー１８に取り付けられているため、照明装置２０の取り外しに加えてカバー１８の取り外しも必要な場合には、照明装置２０が取り付けられたカバー１８をトラス１から取り外すことで、照明装置２０とカバー１８とを同時に取り外すことができる。したがって、手間が軽減し、作業性が向上する。
【００２７】
次に、本発明の第２の実施形態を説明する。図４は本発明の第２の実施形態の照明装置が取り付けられた乗客コンベヤの要部平面図、図５は図４の付随用品の拡大図である。なお、以下の各実施形態において、第１の実施形態と同一又は類似の部分には同一の符号を用いており、重複する説明は省略してある。
【００２８】
第１の実施形態では、一つの支え部材で照明灯と付随用品とを支持するようにしているが、照明灯が長い場合には、複数の支え部材を用いて照明灯と付随用品とを支持するようにしてもよい。
【００２９】
図４はその一例を示しており、一対の照明受け２２の一方の端部及び各付随用品２３を支持部材２４で支持し、各照明受け２２の他方の端部を支持部材２７で支持すると共に互いに固定するようにしている。
【００３０】
この場合についても、照明灯２１及び付随用品２３を一つのユニットとして取り扱うことができ、トラス１やカバー１８に対して同時に着脱できるので、照明装置２０の着脱作業が容易となる。
【００３１】
また、図５に示すように、本実施形態では、付随用品２３と配線２６との接続部にコネクタ２８を備えている。このコネクタ２８は、付随用品２３側に設けられたソケット２８ａと、配線２６側に設けられたブロック２８ｂとから成っており、このブロック２８ｂはソケット２８ａに対して矢印Ｃ方向に挿脱自在となっている。これにより、付随用品２３に対する配線２６の着脱をワンタッチで行うことができるため、配線２６の着脱作業が容易となる。
【００３２】
また、コネクタ２８の色を各配線２６毎に異なるようにしておくと、配線２６の着脱作業が容易となると共に、誤配線を防ぐことができる。
【００３３】
このようなコネクタ２８は、トラスから照明灯に至る配線と照明灯との間に設けることもできる。
【００３４】
なお、上記の各実施形態においては、照明灯として蛍光灯を用いた場合を例に挙げて説明したが、照明灯にＬＥＤや白色電球等を用いた場合についても本発明の構造を適用することができる。
【００３５】
図６はそのような照明装置２０の一例を示す平面図であり、図７は図６を矢印Ｄ方向に見た図である。
【００３６】
複数個の白色電球（又はＬＥＤ）から成る照明灯２１がステップ１の進行方向に二列に整列した状態で支え部材２４上に支持されている。なお、図７においては付随用品２３の図示を省略してある。支え部材２４をネジ等で乗客コンベヤに着脱自在に取り付けることで、照明灯２１及び付随用品２３を一つのユニットとして同時に乗客コンベヤに着脱することができる。
【００３７】
以上、具体例を挙げて本発明の一実施形態について説明したが、本発明は上記の各実施形態に限定されるものではなく、本発明の要旨を逸脱しない範囲で上記の各実施形態に種々の改変を施すことができる。
【図面の簡単な説明】
【００３８】
【図１】本発明の第１の実施形態の照明装置が取り付けられた乗客コンベヤの側面断面図。
【図２】図１の乗客コンベヤの要部平面図。
【図３】図１を矢印Ａ方向に見た図。
【図４】本発明の第２の実施形態の照明装置が取り付けられた乗客コンベヤの要部平面図。
【図５】図４の付随用品の拡大図。
【図６】実施形態の変形例の平面図。
【図７】図６を矢印Ｄ方向に見た図。
【符号の説明】
【００３９】
１  トラス
２  ステップ
６  ステップ駆動軸
１３  手摺駆動軸
１５  スプロケット（伝達機構）
１６  スプロケット（伝達機構）
１７  チェーン（伝達機構）
１８  カバー
２０  照明装置
２１  照明灯
２２  照明受け（支持手段）
２３  付随用品
２４  支え部材（支持手段）
２６  配線
２７  支え部材（支持手段）
２８  コネクタ
【図１】
2007131432.tif 000003
【図２】
2007131432.tif 000004
【図３】
2007131432.tif 000005
【図４】
2007131432.tif 000006
【図５】
2007131432.tif 000007
【図６】
2007131432.tif 000008
【図７】
2007131432.tif 000009